(57)【要約】【課題】  使用に際して軽量で、かつ、使用者がベッド上でいろいろな姿勢で採尿することができる採尿具を得る。【解決手段】  横置きの採尿ボトルと、その採尿ボトルへ可撓性の尿管を介して連結される採尿カップとを含み、前記採尿ボトルは水平方向へ向けて開く息抜き口と、斜め上方へ向けて開く尿管のための連結口とを有し、前記息抜き口を開閉可能なキャップで閉じるとともに、前記連結口に流入は許容するも逆流は阻止する一方向弁を付設した。【選択図】図１
2006326052.tif 000002
【特許請求の範囲】
【請求項１】
合成樹脂の薄板で作られた横置きの採尿ボトルと、その採尿ボトルへ可撓性の尿管を介して連結される合成樹脂の薄板製採尿カップとを含み、前記採尿ボトルに斜め上方へ向けて開く尿管の連結口と、略水平方向へ向けて開く息抜き口との２個の開口にねじを設け、前記連結口に前記可撓性の尿管と、息抜き口にねじで開閉可能なキャップとを、それぞれ着脱可能に取り付けてなるベッド用の採尿具。
【請求項２】
ベッドを構成する側面レールに、採尿ボトルを支持するボトル受けと、採尿カップを支持するカップ受け、および採尿ボトルと採尿カップとを連結する尿管を支持する管受けとを、長手方向へ移動可能に係止するとともに、前記管受けを前記側面レールに沿って設けられた案内バーとその案内バーに嵌合させた移動リングで構成し、前記移動リングと尿管とを結合してなるベッド用の採尿具。
【請求項３】
請求項１において、前記連結口に採尿ボトルへの流入は許容するも、逆流は阻止する一方向弁を付設してなるベッド用の採尿具。
【発明の詳細な説明】
【技術分野】
【０００１】
本発明は、病弱者がベッドで使用するのに好適な採尿具に関するもので、特に、軽量で取り扱いを容易にしたものに関する。
【背景技術】
【０００２】
一般に、尿瓶は広口のガラス瓶を横臥させた形を有し、上部に取っ手を設けたものがよく知られている。この種の尿瓶は使用に際して重い、採取した尿がこぼれ易い、臭気が発散し易いなどの不具合があり、近年は合成樹脂で作られた蓋付きの容器と、特殊な採尿具との組合わせに代わってきている（例えば
【特許文献１】）。
【０００３】
他方、尿瓶の使用者は健康状態によって、ベッドに腰かけて採尿（例えば
【特許文献２】）したり、ベッド上に横臥したまま自分で、あるいは、介添人によって採尿（例えば
【特許文献３】）したりするので、その都度、尿瓶や採尿具の位置や姿勢を動かす必要があり、非力な使用者が一人で扱うことが難しかった。
【０００４】
また、尿瓶は常時、ベッドの近くに置かねば用をなさないが、使用後にそのまま放置すると、臭気を拡散させる不具合があり、その  臭気を避ける手段を設ける必要があった。
【０００５】
これらの多様な不具合を改善する策として、従来、尿瓶を蓋付きの箱に収容（例えば
【特許文献４】）したり、尿瓶の外部へ開く開口部をすべて閉じたもの（例えば前記
【特許文献１】）などが提案されている。しかし、使用時の操作が余りに複雑で病弱者の使用に適さなかった。
【特許文献１】特開２００１−７４７３０号公報
【特許文献２】特開平１１−２０６８２５号公報
【特許文献３】特開２００２−３１５７９０号公報
【特許文献４】実用新案登録第３０１１０２０号公報
【発明の開示】
【発明が解決しようとする課題】
【０００６】
解決しようとする問題点は、一般に病弱な使用者が使用するのに際して、重量が大き過ぎる上に、臭気の放散が激しく、これを避けようとすれば、操作が複雑になったり一層重量が増したりすることになる点にある。
【課題を解決するための手段】
【０００７】
本発明に係る採尿具は、合成樹脂の薄板で作られた横置きの採尿ボトルと、その採尿ボトルへ可撓性の尿管を介して連結される合成樹脂の薄板製採尿カップとを含み、前記採尿ボトルに斜め上方へ向けて開く尿管の連結口と、略水平方向へ向けて開く息抜き口との２個の開口にねじを設け、前記連結口に前記可撓性の尿管と、息抜き口にねじで開閉可能なキャップとを、それぞれ着脱可能に取り付けたことを最も主要な特徴とする。
【発明の効果】
【０００８】
本発明に係る採尿装置は、採尿ボトルと採尿カップとが可撓性の尿管で連結されているから、採尿カップのみを採尿する位置へ移動させることができ、使用者のベッド上の位置や採尿姿勢に左右されることがなく、採尿動作を容易に行うことができる。
【０００９】
採尿ボトルの形状が合成樹脂の薄板で作られ、ねじを設けた２個の口によって内外を連通させる構造であるから、いわゆる、ペットボトルとして成形することができ、各別な製造技術を要することなく、容易に製造できる。
【００１０】
不使用時には、採尿カップに蓋を被せ、息抜き口のキャップを閉めるだけで、内外を密閉できるので、密閉操作が容易であるとともに、外部へ臭いが発散するのを防止できる。
【００１１】
採尿ボトルや採尿カップが合成樹脂の薄板で作られているから軽量であり、採尿時の取り扱いが容易であるなどの利点がある。
【発明を実施するための最良の形態】
【００１２】
図１は、本願発明の１実施例であるベッド用の採尿具１０を示す外観図である。採尿具１０は主にベッド１２で使用される。ベッド１２は鋼管を組み立てて作られ、上下方向に伸びる支柱１４の４本と、その支柱１４によって支えられ水平方向へ伸びる多数の側面レール１６、１６によって構成されている。１８は前記側面レール１６によって支えられるマットであり、横臥した状態で採尿できるようにしたものである。
【００１３】
前記採尿具１０は排尿を一旦蓄えるための採尿ボトル２０と、人体からの排尿を受ける採尿カップ３０、および、前記採尿ボトル２０とを連結する尿管４０を含む。それらは前記側面レール１６によって支持されるボトル受け２１、カップ受け３１、および管受け４１によって、それぞれ支持可能になっている。すなわち、採尿具１０はベッド１２へ付帯的に取り付け得る構成となっている。
【００１４】
採尿具１０の要部を支持するボトル受け２１、カップ受け３１、および、管受け４１は、それぞれに吊り具５１、５１が取り付けられており、その吊り具５１、５１を介してベッド１２を構成する側面レール１６、１６上へ、その側面レール１６に沿って移動可能に吊り下げられている。吊り具５１、５１は図１、図３、図４などで示すように、帯状をした鋼板の上部を短く折り返して、下方へ開く略コ字形のフック５２と、側面レール１６側へ偏位させた当接部５３とが形成してあり、中央部５４で前記ボトル受け２１、カップ受け３１、および管受け４１などへ連結される。
【００１５】
吊り具５１には以上のように、前記ボトル受け２１、カップ受け３１、管受け４１などが図示してない小ねじによって取りつけられると、吊り具５１の重心がそれらが取付けられた外方へ移動するため、吊り具５１の下端部が、側面レール１６の周りに時計方向へ回動する傾向を生じる。すなわち、吊り具５１の下端部はボトル受け２１などを取り付けた側面へ当接する傾向が与えられる。よって、吊り具５１は下端に設けた当接部５３が側面レール１６に当接する位置で安定し、無用に回動して不安定になることがない。
【００１６】
採尿ボトル２０は薄い合成樹脂で作られた、いわゆるペットボトルと類似の容器であり、図２、図３で示すように、断面形状が略かまぼこ形に作られた横長の胴筒２２を有し、その胴筒２２の一端が底板２３で閉じられている。胴筒２２の他端は端部へ向けて外形の縮小する略砲弾形をした上筒で閉じられ、その上筒には略軸芯に位置して水平方向へ開く息抜き口２５と、その息抜き口２５の上側に位置して、斜め上方へ向けて開く尿管４０の連結口２６との２個の開口が設けられている。
【００１７】
前記息抜き口２５には、ねじによって開閉可能なキャップ２９が施され、採尿時以外にはそのキャップ２９を閉めれば採尿ボトル２０の内部の臭気が外部へ洩れ出るのを防止することができ、採尿時にはこれを緩めてねじの隙間から、流入する排尿の容積分の気体を外部へ放出させ得る。なお、このキャップ２９に吸着材を取り付けて流出する気体に含まれる臭気を吸着するようにしてもよい。
【００１８】
前記連結口２６は内面に雌ねじが設けられ、この雌ねじと尿管４０の外面に設けられた雄ねじからなるカップラ４４によって、両者を分離可能に連結させてある。尿管４０の他端には、同様のカップラ４４によって、採尿カップ３０の排出側が分離可能に連結させてある。なお、この実施例では、採尿ボトル２０と採尿カップ３０との間に別体の尿管４０を介在させ、採尿ボトル２０を移動させることなく、採尿カップ３０のみを移動させ得る構成としたが、この構造は発明の構成上、必須の要件ではなく、図５で示すように、採尿カップ３０と尿管４０を一体的に成形し、採尿ボトル２０へ突出させた部分が前記尿管４０となる構造にして、採尿カップ３０を採尿ボトル２０へ直接に取付けるようにしてもよい。
【００１９】
かくて、採尿具１０の使用者が採尿カップ３０の中へ排尿すると、排尿は尿管４０を通して採尿ボトル２０の中へ流入する。４２は尿管４０端部の開口部に設けられた弁体であり、その開口部と協働して採尿ボトル２０への流入は許容するも、逆流は阻止する一方向弁を構成している。
【００２０】
前記胴筒２２の長手方向中央部には周方向の溝が作ってあり、その溝に嵌着したリングと一体に成形された握りハンドル２７が設けられている。２８は吊りハンドルであり、前記リングに設けた枢軸上に回動可能に嵌合させてある。よって、採尿ボトル２０は握りハンドル２７によってそのままの姿勢で持ち上げることができる一方、吊りハンドル２８によって開口側を上にして、持ち上げることもでき、採尿具１０の可搬性を向上させる。
【００２１】
前記採尿カップ３０は人体からの排尿を受け入れる部分であり、合成樹脂により作られた筒状の受容器３２からなる。受容器３２の一端は前記尿管４０に連結されており、他端は使用時を除き、ねじ蓋３３によって開閉可能に閉じられる。なお、ねじ蓋３３はOリングやパッキンを用いて密封可能な形式にすれば、必ずしもねじを用いて固定可能にする必要はない。３４は受容器３２の内部に設けられた受け具であり、軟質の発泡材によって成形されていて、人体の尿器に柔らかく接する機能を持ち使用時の不快感を解消している。
【００２２】
前記尿管４０は可撓性を有するナイロンその他の合成樹脂管からなり、管受け４１によってベッド１２に支持されている。管受け４１は側面レール１６に沿って配置されたステンレス製の丸棒からなる案内バー４５を有する。案内バー４５は吊り具５１の２個の間に橋架され、その案内バー４５に移動リング４３が摺動可能に嵌合させてある。移動リング４３には尿管４０の外面を把持する鋼板製のクリップ４６が挿通してある。
【００２３】
よって、受容器３２をカップ受け３１に収容するとき、採尿ボトル２０と採尿カップ３０との距離が比較的大きくても、すなわち、採尿カップ３０のベッド１２上での移動範囲を大きくしたものを用いても、不使用時に置き場がなかったり無用にブラブラしたりすることがないので、ベッド１２周りの外観を損ねることがない。
【００２４】
この実施例に係る採尿具１０は以上のように構成されているので、使用時にはベッド１２に取り付けられたカップ受け３１から採尿カップ３０を取り上げ、採尿ボトル２０のキャップ２９を緩め、採尿カップ３０のねじ蓋３３を外し人体の尿器にあてがって排尿する。採尿カップ３０は可撓性の尿管４０を介して採尿ボトル２０に連結されているので、使用の際に採尿ボトル２０を持ち上げる必要がない。また、尿管４０は管受け４１によって支持されているにも拘らず、それ自体が可撓性であることと、管受け４１をなす吊り具５１がベッド１２の側面レール１６に沿って移動できるので、使用者がベッド１２上にいかなる姿勢でいようとも容易に採尿できる。また、不使用時には採尿カップ３０のキャップ２９を締め、被せれば、周囲に悪臭を放散させることがない。さらに、全体が軽量であるため、採尿具１０を移動させるとき好都合である。
【図面の簡単な説明】
【００２５】
【図１】ベッド用の採尿具の一実施態様を示した外観図である。
【図２】図１の要部を拡大して示す拡大断面図である。
【図３】図１中のＩＩＩ−ＩＩＩ断面図である。
【図４】図１中のＩＶ−ＩＶ断面図である。
【図５】図２の変形例を示す要部の拡大断面図である。
【符号の説明】
【００２６】
１０    採尿具
１２    ベッド
１４    支柱
１６    側面レール
１８    マット
２０    採尿ボトル
２１    ボトル受け
２２    胴筒
２３    底板
２５    息抜き口
２６    尿管の連結口
２７    握りハンドル
２８    吊りハンドル
２９    キャップ
３０    採尿カップ
３１    カップ受け
３２    受容器
３３    ねじ蓋
３４    受け具
４０    尿管
４１    管受け
４２    弁体
４４    カップラ
５１    吊り具
５２    フック
５３    当接部
５４    中央部
【図１】
2006326052.tif 000003
【図２】
2006326052.tif 000004
【図３】
2006326052.tif 000005
【図４】
2006326052.tif 000006
【図５】
2006326052.tif 000007